(57)【要約】【課題】洗濯水の加熱と、加熱された洗濯水の冷却を効果的に行えるようにする。【解決手段】外槽３３内の洗濯水を加熱する加熱手段４２と、外槽３３内の洗濯水を冷却する冷却手段４５と、外槽３３内に回転自在に配設された洗濯兼脱水槽３４の回転で発生する水流を加熱手段４２に送水する第１の送水部４３と、洗濯兼脱水槽３４の回転で発生する水流を冷却手段４５に送水する第２の送水部４６と、洗濯兼脱水槽３４の投入口３４ａと加熱手段４２の下流側を繋ぐ第１の連通部４４と、洗濯兼脱水槽３４の投入口３４ａと冷却手段４５の下流側を繋ぐ第２の連通部４７とを備え、制御手段３９は、洗濯水の温度を検知する温度検知手段４８の出力に応じて洗濯兼脱水槽３４の回転方向を変え、加熱手段４２への送水と冷却手段４５への送水を切り替えるようにしたものである。【選択図】図１
2014121352.tif 000002
【特許請求の範囲】
【請求項１】
外槽内に回転自在に配設された洗濯兼脱水槽と、
前記洗濯兼脱水槽を回転させる駆動手段と、
前記外槽に洗濯水を供給する給水手段と、
前記外槽内の洗濯水を加熱する加熱手段と、
洗濯水の温度を検知する温度検知手段と、
前記外槽内の洗濯水を冷却する冷却手段と、
前記洗濯兼脱水槽の回転で発生する水流を前記加熱手段に送水する第１の送水部と、
前記洗濯兼脱水槽の回転で発生する水流を前記冷却手段に送水する第２の送水部と、
前記洗濯兼脱水槽の投入口と前記加熱手段の下流側を繋ぐ第１の連通部と、
前記洗濯兼脱水槽の投入口と前記冷却手段の下流側を繋ぐ第２の連通部と、
前記外槽内の洗濯水を排水する排水手段と、
前記駆動手段等を制御し、洗濯運転を制御する制御手段とを備え、
前記制御手段は、前記温度検知手段の出力に応じて前記洗濯兼脱水槽の回転方向を変え、前記加熱手段への送水と前記冷却手段への送水を切り替えるようにした
洗濯機。
【請求項２】
前記制御手段は、前記温度検知手段が検知した洗濯水の温度が所定の温度を超えると、前記冷却手段に送水する方向に前記洗濯兼脱水槽を回転させ、前記冷却手段によって洗濯水の温度を所定温度以下に下げて排水するようにした
請求項１に記載の洗濯機。
【請求項３】
前記外槽の開口部を開閉する扉を閉じた状態に保持する扉ロック手段と、
前記扉ロック手段を解除する解除手段とをさらに備え、
前記制御手段は、高温洗濯工程の実行時に前記解除手段が操作された場合、前記温度検知手段が検知した洗濯水の温度が所定の温度を超えていると、洗濯水を前記冷却手段に送水する方向に前記洗濯兼脱水槽を回転させ、前記冷却手段によって洗濯水の温度を所定温度以下に下げた後、前記扉ロック手段を解除するようにした
請求項１に記載の洗濯機。
【請求項４】
洗濯運転動作の停止と再開を行う一時停止手段をさらに備え、
前記制御手段は、前記高温洗濯工程時に、前記一時停止手段により運転が再開されると、洗濯水が前記加熱手段に送水される方向に前記洗濯兼脱水槽を回転させて、洗濯水を所定温度まで上昇させるようにした
請求項３に記載の洗濯機。
【請求項５】
前記制御手段は、洗濯水を所定温度以上に加熱する高温洗濯行程の実行後、すすぎ水を前記冷却手段に送水する方向に前記洗濯兼脱水槽を回転させ、すすぎ水で前記冷却手段の温度を下げるようにした
請求項１に記載の洗濯機。
【請求項６】
前記制御手段は、前記冷却手段の温度が所定温度以下の時は、洗濯水を前記冷却手段に送水しない低い回転数で前記洗濯兼脱水槽を回転させるようにした
請求項５に記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、図９に示すように、前方に第１の開口部１を有し前上がりに傾斜した回転軸を有する有底円筒状の洗濯兼脱水槽２と、第１の開口部１に対向する第２の開口部３を有し洗濯兼脱水槽２を回転自在に内包する有底円筒状の外槽４と、外槽４を揺動可能に支持し第１の開口部１および第２の開口部３に対向する第３の開口部５を有する洗濯機本体６と、洗濯機本体６に設けられ洗濯物を出し入れする第３の開口部５を開閉する扉体７と、洗濯兼脱水槽２を回転駆動するモータ８を有している。
【０００３】
さらに、外槽４内の洗濯水を加熱する加熱手段９と、外槽４内の洗濯水の温度を検知する温度検知手段１０と、外槽４に連通し給水する第１の給水手段１１と、洗濯兼脱水槽２の第１の開口部１より洗濯兼脱水槽２内に給水する第２の給水手段１２と、外槽４内の洗濯水の水位を検知する水位検知手段１３と、外槽４の底部に連通した排水経路１４の途中に設けられ外槽４内の洗濯水の排水を制御する排水手段１５と、温度検知手段１０および水位検知手段１３等からの出力を入力し、モータ８、加熱手段９、第１の給水手段１１、第２の給水手段１２および排水手段１５等を制御して、一連の洗濯、すすぎ、脱水動作を制御する制御手段１６を備えている。
【０００４】
制御手段１６は、加熱手段９を制御して洗濯水を第１の所定温度以上に加熱して洗濯を行う高温洗濯行程を有し、高温洗濯行程終了後の排水行程において、少なくとも第２の給水手段１２によって一部または全量の給水を行い、加熱された洗濯水が排水可能な第２の所定温度になるまで、第１の給水手段１１、第２の給水手段１２および排水手段１５を制御し、給水および排水を繰り返す冷却動作を実行するようにしたものである（例えば、特許文献１参照）。
【先行技術文献】
【特許文献】
【０００５】
【特許文献１】特開２００７−６８６７７号公報
【発明の概要】
【発明が解決しようとする課題】
【０００６】
しかしながら、前記従来の構成では、外槽内の水を加熱するヒータが外槽内の底部に設けられているため、ヒータを完全に水没させて安全に水を加熱するためには、多くの水を必要とし、加熱エネルギーも多くなるという問題があった。また、高温に加熱されている洗濯水を排水する際に、安全な温度まで洗濯水の温度を下げるために、給水と排水を繰り返す冷却動作を行うものであるため、多量の水を必要とし、加えて、給排水の時間も必要となることから、洗濯にかかる時間が長くなるという問題があった。
【０００７】
本発明は、前記従来の課題を解決するもので、洗濯水の加熱と、加熱された洗濯水の冷却を効果的に行えるようにした洗濯機を提供することを目的とする。
【課題を解決するための手段】
【０００８】
前記従来の課題を解決するために、本発明の洗濯機は、外槽内に回転自在に配設された洗濯兼脱水槽と、前記洗濯兼脱水槽を回転させる駆動手段と、前記外槽に洗濯水を供給する給水手段と、前記外槽内の洗濯水を加熱する加熱手段と、洗濯水の温度を検知する温度
検知手段と、前記外槽内の洗濯水を冷却する冷却手段と、前記洗濯兼脱水槽の回転で発生する水流を前記加熱手段に送水する第１の送水部と、前記洗濯兼脱水槽の回転で発生する水流を前記冷却手段に送水する第２の送水部と、前記洗濯兼脱水槽の投入口と前記加熱手段の下流側を繋ぐ第１の連通部と、前記洗濯兼脱水槽の投入口と前記冷却手段の下流側を繋ぐ第２の連通部と、前記外槽内の洗濯水を排水する排水手段と、前記駆動手段等を制御し、洗濯運転を制御する制御手段とを備え、前記制御手段は、前記温度検知手段の出力に応じて前記洗濯兼脱水槽の回転方向を変え、前記加熱手段への送水と前記冷却手段への送水を切り替えるようにしたものである。
【０００９】
これによって、洗濯水を効率よく加熱することができ、少ないエネルギーで高温洗濯工程を実行することができるとともに、余分な水を使用せずに、加熱された洗濯水の温度を下げることができる。
【発明の効果】
【００１０】
本発明の洗濯機は、洗濯水の加熱と、加熱された洗濯水の冷却を効果的に行うことができる。
【図面の簡単な説明】
【００１１】
【図１】本発明の実施の形態１における洗濯機の要部断面図
【図２】同洗濯機の要部断面図
【図３】同洗濯機の洗濯兼脱水槽の回転数と外槽の振動振幅の関係を示すグラフ
【図４】本発明の実施の形態２における洗濯機の要部断面図
【図５】本発明の実施の形態３における洗濯機の要部断面図
【図６】本発明の実施の形態４における洗濯機の要部断面図
【図７】本発明の実施の形態５における洗濯機の要部断面図
【図８】本発明の実施の形態６における洗濯機の要部断面図
【図９】従来の洗濯機の要部断面図
【発明を実施するための形態】
【００１２】
本発明の洗濯機は、外槽内に回転自在に配設された洗濯兼脱水槽と、前記洗濯兼脱水槽を回転させる駆動手段と、前記外槽に洗濯水を供給する給水手段と、前記外槽内の洗濯水を加熱する加熱手段と、洗濯水の温度を検知する温度検知手段と、前記外槽内の洗濯水を冷却する冷却手段と、前記洗濯兼脱水槽の回転で発生する水流を前記加熱手段に送水する第１の送水部と、前記洗濯兼脱水槽の回転で発生する水流を前記冷却手段に送水する第２の送水部と、前記洗濯兼脱水槽の投入口と前記加熱手段の下流側を繋ぐ第１の連通部と、前記洗濯兼脱水槽の投入口と前記冷却手段の下流側を繋ぐ第２の連通部と、前記外槽内の洗濯水を排水する排水手段と、前記駆動手段等を制御し、洗濯運転を制御する制御手段とを備え、前記制御手段は、前記温度検知手段の出力に応じて前記洗濯兼脱水槽の回転方向を変え、前記加熱手段への送水と前記冷却手段への送水を切り替えるものである。
【００１３】
これにより、洗濯兼脱水槽の回転動作によって外槽内の洗濯水の加熱と冷却を行うことができる。すなわち、加熱時は、洗濯水を加熱手段に循環させて効率よく所定温度に加熱することができるとともに、冷却時は、洗濯水を冷却手段に循環させて冷却することができ、洗濯水の冷却に余分な水を使うことなく、洗濯水の温度を効果的に低下させることができる。
【００１４】
上記構成において、前記制御手段は、前記温度検知手段が検知した洗濯水の温度が所定の温度を超えると、前記冷却手段に送水する方向に前記洗濯兼脱水槽を回転させ、前記冷却手段によって洗濯水の温度を所定温度以下に下げて排水してもよい。
【００１５】
これにより、洗濯水の冷却に給排水を行う必要がなく、余分な水を使用せずに、加熱された洗濯水の温度を短時間に安全な温度に低下させて排水することができる。
【００１６】
上記構成において、前記外槽の開口部を開閉する扉を閉じた状態に保持する扉ロック手段と、前記扉ロック手段を解除する解除手段とをさらに備え、前記制御手段は、高温洗濯工程の実行時に前記解除手段が操作された場合、前記温度検知手段が検知した洗濯水の温度が所定の温度を超えていると、洗濯水を前記冷却手段に送水する方向に前記洗濯兼脱水槽を回転させ、前記冷却手段によって洗濯水の温度を所定温度以下に下げた後、前記扉ロック手段を解除するようにしてもよい。
【００１７】
これにより、洗濯水の冷却に給排水を行う必要がなく、余分な水を使用せずに、加熱された洗濯水の温度を短時間で安全な温度に低下させて、扉を開けることができる。一般に、洗濯水を加熱して洗濯を行う高温洗濯工程を実行するときは、運転中は扉を閉じた状態にロックし、安全が確保されるようにしている。しかしながら、高温洗濯運転の開始後は、例えば、洗濯物を入れ忘れた場合等に、途中で追加投入ができないという不便さがある。本発明においては、高温洗濯時の安全性と、使い勝手を両立させることができる。
【００１８】
上記構成において、洗濯運転動作の停止と再開を行う一時停止手段をさらに備え、前記制御手段は、前記高温洗濯工程時に、前記一時停止手段により運転が再開されると、洗濯水が前記加熱手段に送水される方向に前記洗濯兼脱水槽を回転させて、洗濯水を所定温度まで上昇させるようにしてもよい。
【００１９】
これにより、迅速に高温洗濯行程を再開することができる。
【００２０】
上記構成において、前記制御手段は、洗濯水を所定温度以上に加熱する高温洗濯行程の実行後、すすぎ水を前記冷却手段に送水する方向に前記洗濯兼脱水槽を回転させ、すすぎ水で前記冷却手段の温度を下げるようにしてもよい。
【００２１】
これにより、高温洗濯行程を連続して実行した場合でも、効率よく洗濯水の温度を低下させることができる。
【００２２】
上記構成において、前記制御手段は、前記冷却手段の温度が所定温度以下の時は、洗濯水を前記冷却手段に送水しない低い回転数で前記洗濯兼脱水槽を回転させるようにしてもよい。
【００２３】
これにより、すすぎ水を冷却手段に送水する行程を実行しないので、すすぎ行程を短時間に終了することができ、洗濯時間や消費電力を少なくすることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における洗濯機の洗濯水冷却時の正面から見た要部断面図、図２は、同洗濯機の洗濯水加熱時の正面から見た要部断面図、図３は、同洗濯機の洗濯兼脱水槽の回転数と外槽の振動振幅の関係を示すグラフである。
【００２６】
図１〜図３において、洗濯機外枠３０は、３本の弾性体３１と、２本の減衰装置３２によって外槽３３を弾性支持している。洗濯兼脱水槽３４は、外槽３３内に回転自在に配設している。洗濯兼脱水槽３４を正転、逆転方向に直接回転駆動するモータ（駆動手段）３５は、外槽３３の背面部に取り付けられており、ブラシレス直流モータで構成され、イン
バータ制御によって回転速度を自在に変化させることができるようになっている。
【００２７】
給水手段３６は、洗剤供給手段３７を介して外槽３３内に給水するものである。水位検知手段（図示せず）は、外槽３３内の洗濯水の水位を検知する。排水手段３８は、外槽３３内の洗濯水を機外へ排水するものである。
【００２８】
制御手段３９は、洗濯機外枠３０の前面下部に設けられている。制御手段３９は、洗濯機外枠３０の前面上部に設けられた操作表示部４０により入力された設定内容に基づいて、洗い、すすぎ、脱水の各行程を逐次制御するもので、パワースイッチング手段（図示せず）を介して、モータ３５、給水手段３６、排水手段３８などを逐次制御する。
【００２９】
減衰装置３２は、オイルを作動流体とする粘性ダンパーで、脱水起動時の外槽３３の共振振動振幅を低減するものであり、洗濯機外枠３０の底部３０ａと外槽３３の底部３３ａの間に固定されている。脚４１はゴムなどの弾性材料で構成され、洗濯機外枠３０の底部３０ａの四隅に配置されている。
【００３０】
給水手段３６は、外槽３３への直接給水と、洗剤供給手段３７を経由する間接給水を切り替える電磁式の２方弁である。加熱手段４２は、水路４２ａの外周に加熱ヒータ４２ｂを密着して配設したものである。また、水路４２ａは、加熱ヒータ４２ｂをインサートしてダイカストモールドしたブロックとしてもよい。ブロックは、金属、特にアルミ合金など熱伝導性の高い金属によりモールドされる。
【００３１】
水路４２ａには、空焚き等による異常温度上昇を防止するサーモスタット４２ｃが設けられている。水路４２ａの入口には水の逆流を防止する逆止弁４２ｄが設けられている。この逆止弁４２ｄにより、水路４２ａの中の水が加熱されて膨張しても、温水が逆流せずに水路４２ａの下流側のみに流れるようになる。
【００３２】
外槽３３の上部に位置する外槽３３の側壁３３ｂには、第１の送水部４３の取水口４３ａが接続され、第１の送水部４３の下流側は、逆止弁４２ｄの入口４２ｅと連通接続されている。水路４２ａの出口４２ｆと洗濯兼脱水槽３４の投入口３４ａは、第１の連通部４４で接続されており、第１の連通部４４の出口４４ａには、ノズル４４ｂが設けられている。
【００３３】
冷却手段４５は、水路４５ａの外周に複数の放熱フィン４５ｂを放射状に外方へ突出するように配設したものである。外槽３３の上部に位置する外槽３３の側壁３３ｂには、第２の送水部４６の取水口４６ａが接続されており、第２の送水部４６の下流側は、冷却手段４５の上流側４５ｃと接続されている。
【００３４】
水路４５ａの出口４５ｄは、第２の連通部４７に接続されており、第２の連通部４７の出口は、洗濯兼脱水槽３４の投入口３４ａに向けられている。温度検知手段４８は、外槽３３内の底部に設けられており、洗濯水の温度を検知して制御手段３９に検知信号を送信する。
【００３５】
一般に、洗濯物のアンバランスがある時の洗濯兼脱水槽３４の回転数と、外槽３３の振動振幅の関係は、図３に示すようになっており、１次、２次の各共振を通過した後は、外槽３３の振動振幅は各共振振動振幅よりも大幅に小さくなっている。この領域の回転数を低振動域回転数４９と呼び、４００〜１０００ｒ／ｍｉｎまでをさすが、共振通過後で外槽３３の振動振幅が小さくなる回転数であれば１０００ｒ／ｍｉｎを超えてもよい。
【００３６】
以上のように構成された洗濯機について、以下その動作、作用を説明する。まず、洗濯
兼脱水槽３４内に洗濯物を投入口３４ａから投入し、洗剤供給手段３７内に洗剤を入れた後、操作表示部４０を操作して運転を開始する。これによって、制御手段３９は、給水手段３６を洗剤供給手段３７側に設定し、外槽３３内に給水を開始する。この時、給水された洗濯水は、外槽３３と洗濯兼脱水槽３４の間に形成される隙間に流入し、直接洗濯物が吸水することはないので、吸水による洗濯物の温度低下を防ぐことができる。
【００３７】
図２に示すように、所定量の水が給水されると、制御手段３９は、モータ３５を駆動し洗濯兼脱水槽３４を低振動域回転数４９（４００ｒ／ｍｉｎ）で、矢印イ方向へ反時計回りに回転させる。外槽３３の底部３３ａに溜まった洗濯水は、洗濯兼脱水槽３４の回転により外槽３３の内壁に沿って流れ、洗濯水の一部は、外槽３３の側壁３３ｂに設けた第１の送水部４３の取水口４３ａから、第１の送水部４３を通って加熱手段４２の水路４２ａに流れ込む。
【００３８】
制御手段３９は、予め加熱ヒータ４２ｂに通電して水路４２ａを昇温しており、水路４２ａを流れる洗濯水は瞬時に加熱されて温水となり、第１の連通部４４を通ってノズル４４ｂから洗濯兼脱水槽３４内に噴出する。噴出した高温の洗濯水は、洗濯兼脱水槽３４とともに４００ｒ／ｍｉｎで回転する洗濯物に直接当たり、瞬時に浸透する。
【００３９】
洗濯物に吸収された高温の洗濯水は、洗濯物と熱交換して冷めた洗濯水となり、遠心力で洗濯物から分離して洗濯兼脱水槽３４の周側面に設けた多数の孔（図示せず）から外槽３３の内壁に流出し、洗濯兼脱水槽３４の回転により外槽３３の内壁に沿って流れ、洗濯水の一部は、再び外槽３３の側壁３３ｂに設けた第１の送水部４３の取水口４３ａから、第１の送水部４３を通って加熱手段４２の水路４２ａに流れ込む。
【００４０】
このようにして、高温となった洗濯水が高速で循環して洗濯物を加熱する加熱行程を実行し、洗濯物の温度を例えば４０℃まで上げ、皮脂汚れを洗濯物から浮き上がらせる。その後、制御手段３９は、モータ３５を低速駆動して洗浄行程を開始する。
【００４１】
制御手段３９は、洗濯兼脱水槽３４を例えば４５ｒ／ｍｉｎで正転と反転を繰り返し行わせ、洗濯物を洗濯兼脱水槽３４の回転方向へ持ち上げては落とす、たたき洗いを実行する。洗浄行程中、温度検知手段４８は洗濯水の温度を検知しており、４５℃を超えると、図１に示すように、制御手段３９は、モータ３５を駆動し洗濯兼脱水槽３４を低振動域回転数４９（４００ｒ／ｍｉｎ）で、矢印ロ方向へ時計回りに回転させる。
【００４２】
外槽３３の底部３３ａに溜まった洗濯水は、洗濯兼脱水槽３４の回転により外槽３３の内壁に沿って流れ、洗濯水の一部は、外槽３３の側壁３３ｂに設けた第２の送水部４６の取水口４６ａから、第２の送水部４６を通って冷却手段４５の水路４５ａに流れ込む。制御手段３９は、加熱ヒータ４２ｂへの通電を停止する。
【００４３】
水路４５ａを流れる洗濯水は水路４５ａに熱を奪われ、その熱は放熱フィン４５ｂを介して大気中に放熱される。冷却された洗濯水は、第２の連通部４７を通って洗濯兼脱水槽３４内に噴出する。噴出した洗濯水は、洗濯兼脱水槽３４とともに４００ｒ／ｍｉｎで回転する洗濯物に直接当たり、瞬時に浸透する。
【００４４】
洗濯物に吸収された洗濯水は、洗濯物と熱交換して温まった洗濯水となり、遠心力で洗濯物から分離して外槽３３の内壁に流出し、洗濯兼脱水槽３４の回転により外槽３３の内壁に沿って流れ、洗濯水の一部は、再び外槽３３の側壁３３ｂに設けた第２の送水部４６の取水口４６ａから、第２の送水部４６を通って冷却手段４５の水路４５ａに流れ込む。
【００４５】
このようにして、洗濯水が高速で循環して洗濯物を素早く冷却する冷却行程を実行し、
洗濯物の温度を４０℃まで下げて、蛋白質の硬化を防止する。再び、制御手段３９は、モータ３５を低速駆動し洗浄を開始する。制御手段３９は、洗濯兼脱水槽３４を４５ｒ／ｍｉｎで正転と反転を繰り返し行わせ、洗濯物を洗濯兼脱水槽３４の回転方向へ持ち上げては落とす、たたき洗いを実行する。
【００４６】
洗濯水の温度が例えば３７℃以下になった場合は、温度検知手段４８がこれを検知し、前述した加熱行程を実行する。この時、加熱ヒータ４２ｂの通電は停止しているが、水路４２ａの余熱で洗濯水を加熱するので、電力消費を抑えることができる。一連の洗浄行程を例えば１０分間実行すると、洗濯物から浮き出た皮脂汚れやその他の汚れは、完全に除去されることになる。以後、すすぎ行程、脱水行程へと進み、洗濯が終了する。
【００４７】
以上のように、本実施の形態においては、外槽３３内に回転自在に配設された洗濯兼脱水槽３４と、洗濯兼脱水槽３４を回転させる駆動手段３５と、外槽３３に洗濯水を供給する給水手段３６と、外槽３３内の洗濯水を加熱する加熱手段４２と、洗濯水の温度を検知する温度検知手段４８と、外槽３３内の洗濯水を冷却する冷却手段４５と、洗濯兼脱水槽３４の回転で発生する水流を加熱手段４２に送水する第１の送水部４３と、洗濯兼脱水槽３４の回転で発生する水流を冷却手段４５に送水する第２の送水部４６と、洗濯兼脱水槽３４の投入口３４ａと加熱手段４２の下流側を繋ぐ第１の連通部４４と、洗濯兼脱水槽３４の投入口３４ａと冷却手段４５の下流側を繋ぐ第２の連通部４７と、外槽３３内の洗濯水を排水する排水手段３８と、駆動手段３５等を制御し、洗濯運転を制御する制御手段３９とを備え、制御手段３９は、温度検知手段４８の出力に応じて洗濯兼脱水槽３４の回転方向を変え、加熱手段４２への送水と冷却手段４５への送水を切り替えるようにしたものであり、洗濯兼脱水槽３４の回転動作によって、外槽３３内の洗濯水の加熱と冷却を行うことができる。すなわち、加熱時は、洗濯水を加熱手段４２に循環させて効率よく所定温度に加熱することができるとともに、冷却時は、洗濯水を冷却手段４５に循環させて冷却することができ、洗濯水の冷却に余分な水を使うことなく、洗濯水の温度を効果的に低下させることができる。そして、洗濯兼脱水槽３４を高速回転させながら洗濯物に温水を供給するとともに、洗濯物に浸透した温水を高速で搾りとり、再加熱して再び洗濯物に供給する加熱行程を、循環ポンプ等を使用せずに洗濯兼脱水槽３４の回転で発生する水流を利用した簡単な構成で実行することができる。また、洗濯兼脱水槽３４の回転方向を変えることにより、洗濯水を冷却手段４５に送水して冷却工程を実行することができ、洗濯水が所定温度より高いときは冷却手段４５に送水され、低いときは加熱手段４２に送水されることにより、所定温度を維持するために給排水を行う必要がなく、余分な水を使用せずに洗濯水を最適な温度で洗濯することができる。
【００４８】
なお、本実施の形態では、加熱手段４２を外槽３３の正面から見て左側に設置し、冷却手段４５を右側に設置した例を示したが、加熱手段４２を外槽３３の右側に設置し、冷却手段４５を左側に設置しても同じ効果を発揮するものである。
【００４９】
（実施の形態２）
図４は、本発明の第２の実施の形態における洗濯機の正面から見た要部断面図である。図４において、洗濯水を高温（例えば、７０℃）に加熱して、除菌洗浄行程を実行した後、排水手段３８を駆動して洗濯水を排水する時、制御手段３９は、外槽３３に設けた洗濯水の温度を検知する温度検知手段４８が検知した洗濯水の温度が例えば５０℃を超えるときは、洗濯兼脱水槽３４を低振動域回転数４９（４００ｒ／ｍｉｎ）で、矢印ロ方向へ時計回りに回転させる。
【００５０】
外槽３３の底部３３ａに溜まった洗濯水は、洗濯兼脱水槽３４の回転により外槽３３の内壁に沿って流れ、洗濯水の一部は、外槽３３の側壁３３ｂに設けた第２の送水部４６の取水口４６ａから、第２の送水部４６を通って冷却手段４５の水路４５ａに流れ込む。
【００５１】
水路４５ａを流れる洗濯水は水路４５ａに熱を奪われ、その熱は放熱フィン４５ｂを介して大気中に放熱される。洗濯水は冷却されて、第２の連通部４７を通って洗濯兼脱水槽３４内に噴出する。噴出した洗濯水は、洗濯兼脱水槽３４とともに４００ｒ／ｍｉｎで回転する洗濯物に直接当たり、瞬時に浸透する。
【００５２】
洗濯物に吸収された洗濯水は、洗濯物と熱交換して温まった洗濯水となり、遠心力で洗濯物から分離して外槽３３の内壁に流出し、洗濯兼脱水槽３４の回転により外槽３３の内壁に沿って流れ、洗濯水の一部は、再び外槽３３の側壁３３ｂに設けた第２の送水部４６の取水口４６ａから、第２の送水部４６を通って冷却手段４５の水路４５ａに流れ込む。
【００５３】
このように、洗濯水を循環して冷却手段４５で効率よく冷却する冷却行程を実行し、洗濯水の温度を５０℃まで下げた後、排水手段３８を動作させて機外へ排水するようにしている。他の構成は実施の形態１と同じであり、同一の構成に同一の符号を付して、詳細な説明は実施の形態１のものを援用する。
【００５４】
制御手段３９は、外槽３３に設けた洗濯水の温度を検知する温度検知手段４８が検知した洗濯水の温度が所定の温度を超える時は、洗濯水を冷却手段４５に送水する方向へ洗濯兼脱水槽３４を回転させ、冷却手段４５によって洗濯水の温度を所定温度以下に下げて排水するようにしたものであり、洗濯水を冷却するための給排水を行う必要がなく、高温に加熱された洗濯水を余分な水を使わず短時間に安全な温度に下げて、排水動作を可能にすることができる。
【００５５】
（実施の形態３）
図５は、本発明の第３の実施の形態における洗濯機の側方から見た要部断面図である。図５において、外槽３３の開口部３３ｃを開閉する扉５０を閉じた状態に保持する扉ロック手段５１と、扉ロック手段５１を解除する解除手段（図示せず）を操作表示部４０に設けている。
【００５６】
洗濯水を高温（例えば、７０℃）に加熱して、除菌洗浄行程を実行中、外槽３３の開口部３３ｃを覆う扉５０を閉じた状態に保持するソレノイドを用いた扉ロック手段５１を解除する時、操作表示部４０に設けた解除手段を操作すると、制御手段３９は、外槽３３に設けた洗濯水の温度を検知する温度検知手段４８が検知した洗濯水の温度が例えば５０℃を超える時は、洗濯兼脱水槽３４を低振動域回転数４９（４００ｒ／ｍｉｎ）で時計回りに回転させる。
【００５７】
外槽３３の底部３３ａに溜まった洗濯水は、洗濯兼脱水槽３４の回転により外槽３３の内壁に沿って流れ、洗濯水の一部は、外槽３３の側壁３３ｂに設けた第２の送水部４６の取水口４６ａから、第２の送水部４６を通って冷却手段４５の水路４５ａに流れ込む。水路４５ａを流れる洗濯水は水路４５ａに熱を奪われ、その熱は放熱フィン４５ｂを介して大気中に放熱される。洗濯水は冷却手段４５で冷却されて、第２の連通部４７を通って洗濯兼脱水槽３４内に噴出する。
【００５８】
噴出した洗濯水は、洗濯兼脱水槽３４とともに４００ｒ／ｍｉｎで回転する洗濯物に直接当たり、瞬時に浸透する。洗濯物に吸収された洗濯水は、洗濯物と熱交換して温まった洗濯水となり、遠心力で洗濯物から分離して外槽３３の内壁に流出し、洗濯兼脱水槽３４の回転により外槽３３の内壁に沿って流れ、洗濯水の一部は、再び外槽の側壁３３ｂに設けた第２の送水部４６の取水口４６ａから、第２の送水部４６を通って冷却手段４５の水路４５ａに流れ込む。
【００５９】
このように、洗濯水を循環して冷却手段４５で効率よく冷却する冷却行程を実行し、洗濯水と洗濯物の温度を例えば５０℃まで下げた後、扉ロック手段５１を解除するようにしている。他の構成は実施の形態１と同じであり、同一の構成に同一の符号を付して、詳細な説明は実施の形態１のものを援用する。
【００６０】
以上のように、本実施の形態においては、外槽３３の開口部３３ｃを開閉する扉５０を閉じた状態に保持する扉ロック手段５１と、扉ロック手段５１を解除する解除手段を設け、制御手段３９は、高温洗濯工程の実行時に解除手段が操作された場合、温度検知手段４８が検知した洗濯水の温度が所定の温度を超えていると、洗濯水を冷却手段４５に送水する方向に洗濯兼脱水槽３４を回転させ、冷却手段４５によって洗濯水の温度を所定温度以下に下げた後、扉ロック手段５１を解除するようにしたものであり、洗濯水の冷却に給排水を行う必要がなく、高温洗濯行程中に余分な水を使用せずに、加熱された洗濯水の温度を短時間に安全な温度に下げて、扉５０を開けることができる。一般に、洗濯水を加熱して洗濯を行う高温洗濯工程を実行するときは、運転中は扉を閉じた状態にロックされ、安全が確保されるようにしている。しかしながら、運転開始後は、洗濯物を入れ忘れた場合に途中で追加投入ができないという不便さがある。本発明においては、高温洗濯時の安全性と、使い勝手を両立させることができる。
【００６１】
（実施の形態４）
図６は、本発明の第４の実施の形態における洗濯機の正面から見た要部断面図である。図６において、操作表示部４０に、洗濯運転動作の停止と再開を行う一時停止手段（図示せず）を設け、洗濯運転動作の一次停止と、運転動作の再開を手動操作によって行うことができる。
【００６２】
制御手段３９は、扉５０を閉めて高温洗濯行程を再開した時、モータ３５を駆動し、洗濯兼脱水槽３４を低振動域回転数４９（４００ｒ／ｍｉｎ）で、矢印イ方向へ反時計回りに回転させる。外槽３３の底部３３ａに溜まった洗濯水は、洗濯兼脱水槽３４の回転により外槽３３の内壁に沿って流れ、洗濯水の一部は、外槽３３の側壁３３ｂに設けた第１の送水部４３の取水口４３ａから、第１の送水部４３を通って加熱手段４２の水路４２ａに流れ込む。
【００６３】
制御手段３９は、加熱ヒータ４２ｂに通電していて水路４２ａは昇温しており、水路４２ａを流れる洗濯水は、瞬時に加熱されて温水となり、第１の連通部４４を通ってノズル４４ｂから洗濯兼脱水槽３４内に噴出する。噴出した高温の洗濯水は、洗濯兼脱水槽３４とともに４００ｒ／ｍｉｎで回転する洗濯物に直接当たり、瞬時に浸透する。
【００６４】
洗濯物に吸収された高温の洗濯水は、洗濯物と熱交換して冷めた洗濯水となり、遠心力で洗濯物から分離して外槽３３の内壁に流出し、洗濯兼脱水槽３４の回転により外槽３３の内壁に沿って流れ、洗濯水の一部は、再び外槽３３の側壁３３ｂに設けた第１の送水部４３の取水口４３ａから、第１の送水部４３を通って加熱手段４２の水路４２ａに流れ込む。
【００６５】
このようにして、高温となった洗濯水が高速で循環して洗濯物を加熱する加熱行程を実行し、洗濯物の温度を除菌効果のある例えば７０℃まで短時間に上げ、高温洗濯行程を復帰させる。他の構成は実施の形態１と同じであり、同一の構成に同一の符号を付して、詳細な説明は実施の形態１のものを援用する。
【００６６】
以上のように、本実施の形態においては、洗濯運転動作の停止と再開を行う一時停止手段を設け、制御手段３９は、高温洗濯工程時に、一時停止手段の手動操作によって運転が再開されると、洗濯水が加熱手段４２に送水される方向に洗濯兼脱水槽３４を回転させて
、洗濯水を所定温度まで上昇させるようにしたものであり、短時間に高温洗濯行程を再開することができる。
【００６７】
（実施の形態５）
図７は、本発明の第５の実施の形態における洗濯機の正面から見た要部断面図である。図７において、洗濯水を高温（例えば、７０℃）に加熱して、除菌洗浄行程を実行後、排水手段３８を駆動して排水する時、制御手段３９は、外槽３３に設けた洗濯水の温度を検知する温度検知手段４８が検知した洗濯水の温度が例えば５０℃を超える時は、洗濯兼脱水槽３４を低振動域回転数４９（４００ｒ／ｍｉｎ）で、矢印ロ方向へ時計回りに回転させる。
【００６８】
外槽３３の底部３３ａに溜まった洗濯水は、洗濯兼脱水槽３４の回転により外槽３３の内壁に沿って流れ、洗濯水の一部は、外槽３３の側壁３３ｂに設けた第２の送水部４６の取水口４６ａから、第２の送水部４６を通って冷却手段４５の水路４５ａに流れ込む。
【００６９】
水路４５ａを流れる洗濯水は水路４５ａに熱を奪われ、その熱は放熱フィン４５ｂを介して大気中に放熱される。洗濯水は冷却されて、第２の連通部４７を通って洗濯兼脱水槽３４内に噴出する。噴出した洗濯水は、洗濯兼脱水槽３４とともに４００ｒ／ｍｉｎで回転する洗濯物に直接当たり、瞬時に浸透する。
【００７０】
洗濯物に吸収された洗濯水は、洗濯物と熱交換して温まった洗濯水となり、遠心力で洗濯物から分離して外槽３３の内壁に流出し、洗濯兼脱水槽３４の回転により外槽３３の内壁に沿って流れ、洗濯水の一部は、再び外槽３３の側壁３３ｂに設けた第２の送水部４６の取水口４６ａから、第２の送水部４６を通って冷却手段４５の水路４５ａに流れ込む。
【００７１】
このように、洗濯水を循環して冷却手段４５で効率よく冷却する冷却行程を実行し、洗濯水の温度を５０℃まで下げた後、排水手段３８を動作させて排水するようにしている。この時、冷却手段４５は洗濯水の熱で昇温し、約５０℃になっている。引き続きすすぎ行程が実行されると、制御手段３９は、給水手段３６を直接給水側に設定し、外槽３３内に給水を開始する。
【００７２】
所定水量給水すると、洗濯兼脱水槽３４を低振動域回転数４９（４００ｒ／ｍｉｎ）で矢印ロ方向へ時計回りに回転させる。外槽３３の底部３３ａに溜まったすすぎ水は、洗濯兼脱水槽３４の回転により外槽３３の内壁に沿って流れ、すすぎ水の一部は、外槽３３の側壁３３ｂに設けた第２の送水部４６の取水口４６ａから、第２の送水部４６を通って冷却手段４５の水路４５ａに流れ込む。
【００７３】
水路４５ａを流れるすすぎ水は、水路４５ａから熱を奪って水路４５ａの温度は低下する。すすぎ水は加熱されて、第２の連通部４７を通って洗濯兼脱水槽３４内に噴出する。噴出したすすぎ水は、洗濯兼脱水槽３４の回転により外槽３３の内壁に沿って流れ、一部は、再び外槽３３の側壁３３ｂに設けた第２の送水部４６の取水口４６ａから、第２の送水部４６を通って冷却手段４５の水路４５ａに流れ込む。
【００７４】
このように、すすぎ水を循環させて冷却手段４５を効率よく冷却する冷却行程を実行する。温度検知手段４８の検知温度が一定になると、制御手段３９は、モータ３５を低速駆動しすすぎ行程を開始する。制御手段３９は、洗濯兼脱水槽３４を４５ｒ／ｍｉｎで正転と反転を繰り返し行わせ、洗濯物を洗濯兼脱水槽３４の回転方向へ持ち上げては落とす、たたきすすぎを実行する。他の構成は実施の形態１と同じであり、同一の構成に同一の符号を付して、詳細な説明は実施の形態１のものを援用する。
【００７５】
以上のように、本実施の形態においては、洗濯水を所定温度以上に加熱する高温洗濯行程の実行後、すすぎ水を冷却手段４５に送水する方向に洗濯兼脱水槽３４を回転させ、すすぎ水で冷却手段４５の温度を下げるようにしたものであり、連続して高温洗濯行程を実行しても効率よく洗濯水の温度を下げることができる。
【００７６】
（実施の形態６）
図８は、本発明の第６の実施の形態における洗濯機の正面から見た要部断面図である。図８において、制御手段３９は、洗濯行程終了後、冷却手段４５に設けた冷却温度検知手段５２の検知信号が例えば４０℃以下の時、次のすすぎ行程において、冷却手段４５の温度を下げる冷却行程を実行せず、モータ３５を低速駆動しすすぎ行程を開始する。制御手段３９は、洗濯兼脱水槽３４を４５ｒ／ｍｉｎで正転と反転を繰り返し行わせ、洗濯物を洗濯兼脱水槽３４の回転方向へ持ち上げては落とす、たたきすすぎを実行する。他の構成は実施の形態１と同じであり、同一の構成に同一の符号を付して、詳細な説明は実施の形態１のものを援用する。
【００７７】
これにより、冷却手段４５の温度が所定温度以下の時は、冷却手段４５に送水しない低い回転数で洗濯兼脱水槽３４を回転させるようにしたものであり、すすぎ水を冷却手段４５に送水する行程を実行せずに、すすぎ工程へと移行することで、迅速にすすぎ行程を実行することができ、すすぎ行程を短時間に終了して、洗濯に要する時間および消費電力を少なくすることができる。
【産業上の利用可能性】
【００７８】
以上のように、本発明にかかる洗濯機は、洗濯水の加熱と、加熱された洗濯水の冷却を効果的に行うことができるので、洗濯機として有用である。
【符号の説明】
【００７９】
３３  外槽
３４  洗濯兼脱水槽
３４ａ  投入口
３５  モータ（駆動手段）
３６  給水手段
３８  排水手段
３９  制御手段
４２  加熱手段
４３  第１の送水部
４４  第１の連通部
４５  冷却手段
４６  第２の送水部
４７  第２の連通部
４８  温度検知手段
【図１】
2014121352.tif 000003
【図２】
2014121352.tif 000004
【図３】
2014121352.tif 000005
【図４】
2014121352.tif 000006
【図５】
2014121352.tif 000007
【図６】
2014121352.tif 000008
【図７】
2014121352.tif 000009
【図８】
2014121352.tif 000010
【図９】
2014121352.tif 000011